(57)【要約】【課題】本発明は、複数枚が重なった紙やポリ袋などの薄いシートを、一枚だけ取り出すために用いられる用具を提供する。【解決手段】摩擦体がベース上に接合されている用具を、重なったシート上に置く。摩擦体の下部に該当するベースには開口部があり、摩擦体を指で押し下げると、摩擦体は開口部から下方へ突き出て、用具下の一枚目のシートと接触する。指をシートの取り出し方向へ動かすと、指と連動して摩擦体と一枚目とが移動する。重なったシートの端面から、一枚目の先端だけが突き出た状態になるので、指先で容易につまむことができ、取り出すことができる。【選択図】図１
2017186060.tif 000002
【特許請求の範囲】
【請求項１】
シートを取り出すために用いられる用具であって、ベースに開口部を設け、前記ベースに、前記開口部を塞いで摩擦体が取り付いていることを特徴とする、用具。
【請求項２】
前記シートの上に設けられる用具であって、前記摩擦体が取り付けられ、動作前の前記摩擦体と前記シートとを離している前記ベースと、前記ベースとは独立して動作する部位を持つ前記摩擦体と、で構成され、物体Aから外力を受けた前記摩擦体は前記動作前の姿勢から押し下げられ、前記シートとの距離がなくなって前記シートに接触し、前記摩擦体と前記シートとの接触面に摩擦力が発生し、前記摩擦力は、前記接触面と平行の方向に、移動する前記摩擦体と連動して前記シートを移動させるほどの大きさであって、前記物体Aによる押し下げが解除されると、前記摩擦力が失われるのと同時に、前記摩擦体は復元力によって前記動作前の姿勢に復帰することを特徴とする、用具。
【請求項３】
前記ベースに対して前記摩擦体が動作可能になる要因、および動作後の姿勢から前記動作前の姿勢に復帰可能とする前記復元力は、前記摩擦体の材料特性である伸縮性によるものとする、請求項1から2に記載の用具。
【請求項４】
前記摩擦体の取り付け状態に、遊びを設けたことを特徴とする、請求項1から3に記載の用具。
【請求項５】
前記摩擦体と前記ベースとの接合位置は、前記摩擦体の端から距離があることを特徴とする、請求項1から4に記載の用具。
【発明の詳細な説明】
【技術分野】
【０００１】
本発明は、複数枚が重なった紙やポリ袋を、一枚だけ取り出すために用いられる用具に関するものである。
【背景技術】
【０００２】
紙が複数枚、平面上に重なって積まれている状況において、一番上の一枚だけを手で取り出すことを想定する。多くの場合、積まれた上部にある複数枚を指で持ち上げ、二枚目以降の不要な紙を下からめくって元の位置へ落とし、最後に残った一枚目を取り出すといった手法を用いている。うっかり一枚目も元の位置へ落としてしまうと、同じ動作を繰り返すことになり、無駄な動作が多く時間がかかる問題があった。また、二枚以上取り出したことを後になって気づいた場合、不要な分は破棄されることもあり、資源の無駄が生じていた。
【０００３】
前述のような、複数枚が重なった紙を、一枚だけ取り出すのに時間がかかる問題を解決するために、次のような技術がある。実用新案登録番号第3008573号で開示された技術は、紙と摩擦部に生じた摩擦力で、紙を取り出す用紙ケースである。用紙ケース内に複数枚の紙が収納されており、一番上の一枚目の紙に摩擦部を接触させるようになっていることが特徴である。接触時は摩擦部と紙との間に摩擦力が生じ、動かした摩擦部に連動する格好で紙が水平方向へ移動し、一枚目を取り出すことができる。
【先行技術文献】
【特許文献】
【０００４】
【特許文献１】実用新案登録番号第3008573号
【発明の概要】
【発明が解決しようとする課題】
【０００５】
前述の開示された技術は、用紙ケースに施された斜め切り込みや、摩擦部の取り付けが必要なため、紙を収納する用紙ケースは専用のものになっている。そのため実施しようとすると、前述の用紙ケースを新設しなければならず、大きな投資が必要となる課題があった。
【課題を解決するための手段】
【０００６】
本発明は前述の課題を解決し、複数枚が重なった紙やポリ袋などの薄いシートを、一枚だけ取り出すことを容易にする用具を提供する。本発明によれば、用具を既存の用紙ケース、レターケースおよびポリ袋の収納袋（外装袋）に追加することで、複数枚が重なったシートの一番上の一枚だけを取り出すことができる。
【０００７】
用具は摩擦体とベースとで構成されていて、重なったシート上に置いて使用する。摩擦体およびベースはともに、おおよそ板状で、摩擦体はベース上に重ねられ取り付いている。摩擦体には柔軟性と伸縮性があり、摩擦係数が大きく、シートに接触すると摩擦力を発生する。ベースは摩擦体を支持し、摩擦体とシートとが接触しないように、摩擦体をシートから遠ざけている。摩擦体の下部に該当するベースには開口部があり、摩擦体を指で押し下げると、摩擦体は開口部から下方へ突き出て、用具下の一枚目のシートと接触する。摩擦体の摩擦力は、指との接触面およびシートとの接触面両方に発生する。指をシートの取り出し方向へ動かすと、指と連動して摩擦体と一枚目とが移動する。重なったシートの端面から、一枚目の先端だけが突き出た状態になるので、指先で容易につまむことができ、取り出すことができる。二枚目のシートは、一枚目が取り出された後に一枚目に繰り上がり、新たな一枚目もまた同じ動作で取り出すことができ、このサイクルは重なったシートがなくなるまで連続する。
【発明の効果】
【０００８】
本発明を実施することにより、複数枚が重なった紙やポリ袋を、一枚だけ取り出すのに時間がかかる問題を解決でき、次のような効果がある。積まれた広告紙、パンフレット、レジュメ、取扱説明書、各種届出用紙およびメモ用紙の、取り出しの時間短縮および二枚取り出しの防止。ポリ袋を使用した梱包作業の時間短縮。二枚以上取り出してしまった場合の、不要な分を収納する時間の削減、または不要な分の破棄防止。本発明の機能が付加されたレターケースおよびポリ袋の収納袋は、商品価値を向上させることができる。
【図面の簡単な説明】
【０００９】
【図１】実施例1を説明する。本発明の用具をレターケースで使用した状態を示す。
【図２】実施例1を説明する。本発明の用具をレターケースで使用した状態を示す。
【図３】実施例1を説明する。本発明の用具をポリ袋の収納袋に装着した状態を示す。
【図４】実施例1を説明する。図3の断面を示す。
【図５】実施例1を説明する。ポリ袋を取り出している状態を示す。
【図６】実施例2を説明する。摩擦体の形状を示す。
【図７】実施例3を説明する。ベースを省略し、レターケースが摩擦体を支持している状態を示す。
【発明を実施するための形態】
【００１０】
図1、図2、図3、図4および図5は実施例1を示す。
図1で、本発明の用具1の構造と、レターケース2で使用する方法を説明する。レターケース2の引き出し部分のみを図示し、筐体部分は省略してある。用具1は摩擦体6とベース7からなる。摩擦体6およびベース7はともに、おおよそ板状で、摩擦体6はベース7の開口部9を塞ぐように重ねられ、接合13されている。摩擦体6にとって接合部13は一部分であって、摩擦体6の他の部位はベース7と独立して動作することができる。
【００１１】
摩擦体6の材質は、大きな摩擦係数と、柔軟性および伸縮性が必要なため、ゴムもしくはゴム質の材質が向いている。ゴムの種類はアレルギー、オイルブリード（劣化によるベトベト）、ブルーム（粉吹き）のないものが望ましく、ウレタンおよびシリコンが優れる。本図では、指8の加圧により押し下げられた摩擦体6は一枚目4に接触しているが、通常時の摩擦体6は一枚目4とは離れている。
ベース7のおおよそのサイズは、幅140mm、奥行70mm、開口部9の幅20mm、開口部9の奥行35mmであるが、用途によって異なる。摩擦体6が動作した際の反力（復元力）に耐える剛性がベース7には必要で、用途によって材質と厚さを選定しなければならないが、本実施例の用途なら、材質は0.5mm厚の工作用紙が向く。ベース7と摩擦体6との接触部、およびベース7と一枚目4との接触部に引っ掛かりがあると動作に支障があるため、ベース7の材質は摩擦係数が小さいほうがよく、工作用紙以外に樹脂もしくは金属などでもよい。
摩擦体6とベース7との接合13方法は、ステープル（ホッチキス）、かしめ、接着および両面テープが向く。摩擦体6とベース7の材質が熱可塑性樹脂なら溶着も可である。取り出した紙4を食品包装に使用する場合は、脱落時の混入に備え、ステープルの針は金属製ではなく、紙製もしくは針なしステープルが望ましい。
【００１２】
レターケース2の容積内に積まれている紙3の一枚目4を移動させる方法を説明する。同じ紙が複数枚、重なって積まれているレターケース2の取り出し方向10に、スロープ5を設置する。スロープ5は水平方向に移動させた一枚目4の紙の先端が、レターケース2の縁を越え、斜め上方へ導くための傾斜が付いた板である。本発明の用具1を重なった紙3の一枚目4の上に置く。指8で押された摩擦体6は動作し、ベース7に設けられた開口部9から下方へ突き出て、一枚目4と接触する。このとき指8と摩擦体6との接触面、および摩擦体6と一枚目4との接触面に摩擦力が発生している。摩擦体6の摩擦係数は大きいので、前記摩擦力は、紙の一枚目4と二枚目との接触面に発生する摩擦力より上回る。指8を取り出し方向10へ動作させると、連動して用具1と一枚目4とが移動する。スロープ5に当たった一枚目4の紙の先端は、スロープ5の傾斜に添って斜め上方へ導かれ、指先でつまみやすくなる。指8を離すと、摩擦体6は復元力によって一枚目4から離れ、摩擦力が失われる。
【００１３】
図2で、一枚目4の取り出しの完了と、二枚目の取り出しへの移行を説明する。取り出し方向10へ導かれた一枚目4の紙の先端を指先でつまみ、引き上げる。その際一枚目4の傾斜を滑り落ちた用具1は、二枚目の紙上に置かれ、一枚目4だけを取り出すことができる。二枚目以降も同じ動作で一枚ずつ取り出すことができ、このサイクルは紙がなくなるまで続く。
【００１４】
図3、図4および図5は実施例1の用具をポリ袋の取り出しに使用する方法を示す。
図3で、用具1をポリ袋11の収納袋（外装袋）12に装着する方法を説明する。ポリ袋11は省略してある。ポリ袋11の収納袋12には、容易に取り出し穴14をあけられるようミシン目がある。取り出し穴14をあけた後のミシン目は、穴の周縁15になる。周縁15は円弧上で、取り出し穴14から中のポリ袋11をつまんで取り出すことができる。収納袋12への用具1の装着方法は、取り出し穴14へ用具1を挿入し、摩擦体6だけを収納袋12の外へ出す。すると取り出し穴14の周縁15を、摩擦体6とベース7とで挟み込むことになり、用具1がずれるのを防ぐことができる。接合部13は摩擦体6の端ではなく、摩擦体6の端から距離17を保って接合13されている。摩擦体6とベース7との間にすき間がある区間17を設けることにより、取り出し穴14の周縁15を挟み込みやすくしている。
【００１５】
図4は、図3の断面線16から見た断面図で、図3を補足説明する。ポリ袋11の収納袋12に複数枚のポリ袋11が重なって収納されている。ポリ袋11は重ねた状態から半分に折り曲げられ、折り曲げた方は取り出し穴14へ向いている。取り出し穴14の周縁15を、摩擦体6とベース7とで挟み込んでいる。摩擦体6はポリ袋11の一枚目に接触していない。
【００１６】
図5で、重なったポリ袋11の一枚目を取り出す方法を説明する。摩擦体6を指8で押し下げ、ポリ袋11と接触させる。指8を取り出し方向へ動作させると、連動して摩擦体6と一枚目とが引き出される。指8を離すと、摩擦体6は復元力によってポリ袋11から離れ、動作前の姿勢（図3および図4の位置）へ戻る。一枚目のポリ袋11は引き出されたままなので、指先でつまんで取り出すことができる。図1で説明した紙の取り出しでは、指8と連動するのは用具1全体であるが、ポリ袋の取り出しでは摩擦体6だけが連動する。摩擦体6にはベース7と独立して動作する部位があるので、ベース7が固定されていてもポリ袋11を引き出すことができる。
【００１７】
なお、本図の方法によれば重力は無視でき、ポリ袋11と収納袋12を立てた（90度回転させた）姿勢で使用する場合、取り出し方向は上、下および横になる。ひっくり返して（180度回転させて）使用する場合、取り出す一枚目は、重なったポリ袋11の一番下となる。本発明の用具および重なったシートの姿勢に制限はないが、重力に逆らわない平積みを一般的な使い方と考え、シートと接する面をベース7の下面、摩擦体6が取り付く面をベース7の上面と呼ぶこととし、このことは他の実施例にも適用する。
また、指8を使って摩擦体6を動作させる記述になっているが、指8に限ることではなく、手の甲、肘もしくは物体で摩擦体6を動作させることもできる。この方法は指先が汚れていて摩擦体6に触れたくない場合などに有効で、このことは他の実施例にも適用する。
【００１８】
図6は、実施例2を示す。
図6で、摩擦体6の取付姿勢の別案を説明する。本図上図のように摩擦体6’の片方を丸めて接合13することができる。ベース7の接合間距離18より、摩擦体6’の接合間距離18のほうが大きいことが特徴である。ベース７より摩擦体6’のほうが消費される材料の量が多く、差分が迂回することになり、それが遊びとなる。摩擦体6’に柔軟性だけがあればよいのが利点である。実施例1では、摩擦体6が引かれて変形を伴う場合、摩擦体6は伸びて（形状変化して）対応する。本実施例では、丸めた箇所にある摩擦体6’の遊びが、本図下図のように引っ張られるごとに繰り出されて（姿勢変化して）対応する。形状変化には伸縮性が必須であるが、姿勢変化には必須ではないので、材質の選定に自由度が増す。本実施例は摩擦体6’の片方を丸める例を記したが、どのような形状でも遊びがあれば同じ効果が得られる。
【００１９】
図7は、実施例3を示す。
図7で、摩擦体6の取付姿勢の別案を説明する。レターケース2は摩擦体6”を支持し、摩擦体6”と紙とが接触しないように、摩擦体6”を紙から遠ざけている。実施例1で説明したベース7の役割は、本実施例ではレターケース2が担っている。本図では、帯状の摩擦体6”の両端が支持されているが、片方の端だけの支持（片持ち）でもよい。また、レターケース2に摩擦体6”が取り付いているが、接合部を設けるためにスロープ5を延長し、スロープ5に摩擦体6”を取り付けてもよい。摩擦体6”は、実施例1の摩擦体6と同じ特性を持っており、摩擦体6”の中央付近を指8で押し下げると、重なった紙の一枚目4に接触する。指8を取り出し方向へ動作させると、連動して摩擦体6”と一枚目4とが引き出され、実施例1と同様に取り出すことができる。
【産業上の利用可能性】
【００２０】
本発明を実施すると次の用途がある。企業、役所、公民館、イベント、説明会、学校、試験会場、および会議、における配布物の迅速な配布。新聞への折り込みチラシの挿入。パン屋のレジにおける、パンの個装。商品の袋詰め。
【符号の説明】
【００２１】
1  用具
2  レターケース
3  重なった紙
4  一枚目
5  スロープ
6  摩擦体
6’  摩擦体
6”  摩擦体
7  ベース
8  指
9  開口部
10  取り出し方向
11  ポリ袋
12  収納袋
13  接合
14  取り出し穴
15  周縁
16  断面線
17  すき間がある区間
18  接合間距離
【図１】
2017186060.tif 000003
【図２】
2017186060.tif 000004
【図３】
2017186060.tif 000005
【図４】
2017186060.tif 000006
【図５】
2017186060.tif 000007
【図６】
2017186060.tif 000008
【図７】
2017186060.tif 000009